(57)【要約】【課題】破損しにくいコネクタカバー、および電気コネクタを提供する。【解決手段】コネクタカバー２０は、カバー本体２１と、第１と第２の係止アーム２３Ａ、２３Ｂと、第１と第２の壁部２４Ａ、２４Ｂと、を備える。カバー本体２１は、コネクタ本体１０に取り付けられる。第１と第２の係止アーム２３Ａ、２３Ｂは、コネクタ本体１０に設けられた第１と第２の被係止部１１Ａ、１１Ｂに係止する第１と第２の係止部２２Ａ、２２Ｂを有し、カバー本体２１に突設されている。第１と第２の壁部２４Ａ、２４Ｂは、カバー本体２１に取り付けられ、第１と第２の係止アーム２３Ａ、２３Ｂが延びる方向に直交する方向から見て、第１と第２の係止部２２Ａ、２２Ｂが露出しないように第１と第２の係止部２２Ａ、２２Ｂを覆う。【選択図】図３
2020202066.tif 000002
【特許請求の範囲】
【請求項１】
コネクタ本体に取り付けられるカバー本体と、
前記コネクタ本体に設けられた被係止部に係止する係止部を有し、前記カバー本体に突設された係止アームと、
前記カバー本体に取り付けられ、前記係止アームが延びる方向に直交する方向から見て、前記係止部が露出しないように前記係止部を覆う壁部と、
を備えるコネクタカバー。
【請求項２】
前記係止部は、係止爪を有し、
前記係止爪と前記壁部とは、互いに向かい合う、
請求項１に記載のコネクタカバー。
【請求項３】
一対の前記壁部と、
一対の前記壁部に挟まれた位置に配置されている一対の前記係止アームと、
を有する、
請求項１または２に記載のコネクタカバー。
【請求項４】
複数の前記係止アームと、
それぞれの前記係止アームが有する係止部を覆う複数の前記壁部と、を有し、
複数の前記係止アームは、複数の前記壁部に囲まれた位置に配置されている、
請求項１または２に記載のコネクタカバー。
【請求項５】
前記壁部には、前記コネクタ本体に装着する際に前記係止部を前記コネクタ本体の前記被係止部に案内するガイド部が形成されている、
請求項１から４の何れか１項に記載のコネクタカバー。
【請求項６】
前記カバー本体は、前記コネクタ本体から延出したリード線の一部を収容する収容室を有する、
請求項１から５の何れか１項に記載のコネクタカバー。
【請求項７】
前記コネクタ本体が相手コネクタに押し込まれる際に押圧される押圧部を有する、
請求項１から６の何れか１項に記載のコネクタカバー。
【請求項８】
請求項１から７の何れか１項に記載のコネクタカバーと、
前記コネクタカバーが取り付けられたコネクタ本体と、
を備える電気コネクタ。
【発明の詳細な説明】
【技術分野】
【０００１】
本発明は、コネクタカバー、および電気コネクタに関する。
【背景技術】
【０００２】
電気コネクタに取り付けられ、電気コネクタから延出したワイヤハーネスを収容するコネクタカバーが知られている。
【０００３】
特許文献１は、ワイヤハーネスを収容するコネクタカバー（インナースリーブ）であって、コネクタと係止してコネクタカバーとコネクタとの固定を行うロック爪を有し、ロック爪が外方に向かって突出しているコネクタカバーを開示している。
【先行技術文献】
【特許文献】
【０００４】
【特許文献１】特開２００２−２７１９４９号公報
【発明の概要】
【発明が解決しようとする課題】
【０００５】
特許文献１が開示するコネクタカバーでは、ロック爪がコネクタカバーより外方に露出し保護されていない。このため、複数のコネクタカバーが袋などで梱包されると、コネクタカバー同士が接触し、ロック爪が破損する虞があるという問題がある。また、ロック爪がコネクタカバーから露出しているため、作業者が取り付け作業中などにロック爪を破損する虞があるという問題がある。また、電気コネクタを外力から保護するためのコネクタカバーなど、ワイヤハーネスを収容するコネクタカバー以外のコネクタカバーにも同様の問題がある。
【０００６】
本発明は、上述の事情の下になされたものであり、破損しにくいコネクタカバー、および電気コネクタを提供することを目的とする。
【課題を解決するための手段】
【０００７】
上記目的を達成するため、本発明の第１の観点に係るコネクタカバーは、
コネクタ本体に取り付けられるカバー本体と、
前記コネクタ本体に設けられた被係止部に係止する係止部を有し、前記カバー本体に突設された係止アームと、
前記カバー本体に取り付けられ、前記係止アームが延びる方向に直交する方向から見て、前記係止部が露出しないように前記係止部を覆う壁部と、
を備える。
【０００８】
前記係止部は、係止爪を有し、
前記係止爪と前記壁部とは、互いに向かい合うようにしてもよい。
【０００９】
一対の前記壁部と、
一対の前記壁部に挟まれた位置に配置されている一対の前記係止アームと、
を有するようにしてもよい。
【００１０】
複数の前記係止アームと、
それぞれの前記係止アームが有する係止部を覆う複数の前記壁部と、を有し、
複数の前記係止アームは、複数の前記壁部に囲まれた位置に配置されるようにしてもよい。
【００１１】
前記壁部には、前記コネクタ本体に装着する際に前記係止部を前記コネクタ本体の前記被係止部に案内するガイド部が形成されるようにしてもよい。
【００１２】
前記カバー本体は、前記コネクタ本体から延出したリード線の一部を収容する収容室を有するようにしてもよい。
【００１３】
前記コネクタ本体が相手コネクタに押し込まれる際に押圧される押圧部を有するようにしてもよい。
【００１４】
上記目的を達成するため、本発明の第２の観点に係る電気コネクタは、
前記コネクタカバーと、
前記コネクタカバーが取り付けられたコネクタ本体と、
を備える。
【発明の効果】
【００１５】
本発明によれば、コネクタカバーが、係止部を露出させないための係止部を覆う壁部を備えることで、係止部の破損を防ぐことができる。このため、本発明によれば、破損しにくいコネクタカバー、および電気コネクタを提供できる。
【図面の簡単な説明】
【００１６】
【図１】（Ａ）および（Ｂ）は、本発明の実施の形態に係る電気コネクタの分解斜視図である。
【図２】（Ａ）は、本発明の実施の形態に係る電気コネクタの分解正面図であり、（Ｂ）は、本発明の実施の形態に係る電気コネクタの分解側面図であり、（Ｃ）は、本発明の実施の形態に係る電気コネクタの分解上面図である。
【図３】図２（Ａ）のＩＩＩ−ＩＩＩ断面図である。
【図４】図２（Ａ）のＩＶ−ＩＶ断面図である。
【図５】本発明の実施の形態に係るコネクタカバーをコネクタ本体に取り付ける方法を説明する断面図である。
【図６】本発明の実施の形態に係るコネクタカバーをコネクタ本体に取り付ける方法を説明する断面図である。
【図７】本発明の実施の形態に係るコネクタカバーをコネクタ本体に取り付けた断面図である。
【図８】本発明の実施の形態に係る電気コネクタの斜視図である。
【図９】本発明の実施の形態に係る電気コネクタの側面断面図である。
【図１０】本発明の実施の形態に係るコネクタカバーの斜視図である。
【図１１】本発明の実施の形態に係るコネクタカバーの上面図である。
【図１２】（Ａ）および（Ｂ）は、本発明の変形例に係る電気コネクタの分解斜視図である。
【図１３】本発明の変形例に係る電気コネクタの側面断面図である。
【図１４】（Ａ）および（Ｂ）は、本発明の変形例に係る電気コネクタの分解斜視図である。
【図１５】（Ａ）および（Ｂ）は、本発明の変形例に係るコネクタカバーの断面図である。
【発明を実施するための形態】
【００１７】
以下、本発明を実施するための形態に係るコネクタカバー、および電気コネクタを図面を参照しながら説明する。
【００１８】
本実施の形態に係る電気コネクタ１００は、図１（Ａ）、図１（Ｂ）および図２（Ａ）〜図２（Ｃ）に示すように、コネクタ本体１０と、第１の係止アーム２３Ａおよび第２の係止アーム２３Ｂを有するコネクタカバー２０と、を備え、例えば、車載用の電子回路を電気的に接続するために用いられる。コネクタカバー２０は、コネクタ本体１０に取り付けられ、リード線３０の一部を収容するものである。
【００１９】
理解を容易にするために、電気コネクタ１００が相手コネクタに挿入される方向をｘ軸方向、並んで配置される一対の係止アーム２３Ａ、２３Ｂを結ぶ方向をｙ軸方向、ｘ軸方向およびｙ軸方向に垂直な方向をｚ軸方向とする直交座標系を設定し、適宜参照する。
【００２０】
コネクタ本体１０は、図３に示すように、絶縁性のハウジング１２と、ハウジング１２の内部に配置された複数の端子１３と、を備える。
【００２１】
ハウジング１２は、樹脂を成形したものであり、第１の被係止部１１Ａと、第２の被係止部１１Ｂと、第１の当接面１４Ａと、第２の当接面１４Ｂと、複数の収容室１５と、を備える。
【００２２】
第１の被係止部１１Ａと第２の被係止部１１Ｂは、それぞれ後述する第１の係止アーム２３Ａの端部に設けられた第１の係止部２２Ａと、第２の係止アーム２３Ｂの端部に設けられた第２の係止部２２Ｂと、を係止するものである。
【００２３】
第１の当接面１４Ａおよび第２の当接面１４Ｂは、それぞれ後述するコネクタカバー２０に設けられた第１のガイド部２６Ａおよび第２のガイド部２６Ｂに当接する面である。
【００２４】
収容室１５は、図４に示すように、端子１３を収容する部分であり、筒状の形状を有し、接続相手の端子を挿入する挿入孔１５ａを備える。
【００２５】
端子１３は、金属板などの導電性部材を曲げ加工して形成されたものであり、筒状のサヤ部１６と、リード線３０の導体部３１を圧着固定するための結束部１７と、サヤ部１６の内壁に設けられた弾性接触部１８と、を備える。
【００２６】
サヤ部１６は、接続相手の端子と接触する部分であり、金属板を筒状に折り曲げて形成されている。
【００２７】
結束部１７は、一対の弾性を有する片持ち梁から構成され、リード線３０の導体部３１と端子１３とを電気的に接続する部分であり、圧着工具に圧着されてリード線３０の導体部３１を固定する。
【００２８】
弾性接触部１８は、板ばねから構成され、サヤ部１６の内壁と共に挿入された接続相手の端子を挟持する。
【００２９】
図３に示すコネクタカバー２０は、カバー本体２１と、第１の係止アーム２３Ａと、第２の係止アーム２３Ｂと、第１の壁部２４Ａと、第２の壁部２４Ｂと、第３の壁部２４Ｃと、第４の壁部２４Ｄと、第１のガイド部２６Ａと、第２のガイド部２６Ｂと、収容室２７と、押圧部２８と、を備える。
【００３０】
第１の係止アーム２３Ａは、カバー本体２１に突設され、ハウジング１２に設けられた第１の被係止部１１Ａに係止する第１の係止部２２Ａを有する。同様に、第２の係止アーム２３Ｂは、カバー本体２１に突設され、ハウジング１２に設けられた第２の被係止部１１Ｂに係止する第２の係止部２２Ｂを有する。第１の係止アーム２３Ａと第２の係止アーム２３Ｂとは平行に配置されている。第１の係止アーム２３Ａおよび第２の係止アーム２３Ｂの延びる向きは、ｘ軸方向である。第１の係止アーム２３Ａおよび第２の係止アーム２３Ｂは、ｙ軸方向および−ｙ軸方向に撓むことができる。第１の係止部２２Ａは、第１の係止アーム２３Ａの端部に配置され、ｘ軸方向に向かって先鋭に形成され、第１の被係止部１１Ａに係止する第１の係止爪２５Ａを有する。第２の係止部２２Ｂは、第２の係止アーム２３Ｂの端部に配置され、ｘ軸方向に向かって先鋭に形成され、第２の被係止部１１Ｂに係止する第２の係止爪２５Ｂを有する。第１の係止部２２Ａおよび第２の係止部２２Ｂは、第１の壁部２４Ａと第２の壁部２４Ｂとに挟まれた位置に配置されている。第１の係止爪２５Ａと第１の壁部２４Ａとは、互いに向かい合い、第２の係止爪２５Ｂと第２の壁部２４Ｂとは、互いに向かい合う。
【００３１】
第１の壁部２４Ａ、第２の壁部２４Ｂ、第３の壁部２４Ｃおよび第４の壁部２４Ｄは、カバー本体２１に取り付けられ、第１の係止部２２Ａと第２の係止部２２Ｂを覆うものである。詳細には、図２（Ｂ）に示す第１の壁部２４Ａは、第１の係止アーム２３Ａが延びる方向（ｘ軸方向）に直交する方向から見て（ｙ軸方向に見て）、第１の係止部２２Ａが露出しないように第１の係止部２２Ａを覆う。同様に、第２の壁部２４Ｂは、第２の係止アーム２３Ｂが延びる方向（ｘ軸方向）に直交する方向から見て（−ｙ軸方向に見て）、第２の係止部２２Ｂが露出しないように第２の係止部２２Ｂを覆う。第１の壁部２４Ａと第２の壁部２４Ｂとは、平行に配置されている。第３の壁部２４Ｃは、ｚ軸方向に見て、第１の係止部２２Ａが露出しないように第１の係止部２２Ａを覆う。第４の壁部２４Ｄは、ｚ軸方向に見て、第２の係止部２２Ｂが露出しないように第２の係止部２２Ｂを覆う。
【００３２】
第１のガイド部２６Ａと第２のガイド部２６Ｂは、それぞれ第１の壁部２４Ａの内面と第２の壁部２４Ｂの内面に形成され、コネクタカバー２０がコネクタ本体１０に装着される際に、それぞれコネクタ本体１０の第１の当接面１４Ａおよび第２の当接面１４Ｂに当接する。第１のガイド部２６Ａから第２のガイド部２６Ｂまでの長さＬ１は、第１の当接面１４Ａから第２の当接面１４Ｂまでの長さＬ２より僅かに長い。これにより、第１のガイド部２６Ａおよび第２のガイド部２６Ｂは、コネクタカバー２０がコネクタ本体１０に装着される際に、ｙ軸方向に位置合わせでき、第１の係止部２２Ａと第２の係止部２２Ｂをそれぞれ第１の被係止部１１Ａと第２の被係止部１１Ｂに案内することができる。
【００３３】
図４に示す収容室２７は、カバー本体２１に設けられ、−ｚ軸方向に開口する開口部２７ａを有し、コネクタ本体１０から延出したリード線３０の一部を収容する。これにより、−ｘ軸方向に延出したリード線３０を−ｚ軸方向に曲げることができる。これにより、ｙ軸方向に見て、リード線３０をＬ字状に曲げることができる。
【００３４】
押圧部２８は、カバー本体２１に設けられ、コネクタ本体１０が相手コネクタに押し込まれる際にユーザや押圧機器に押圧される部分である。
【００３５】
つぎに、コネクタ本体１０にコネクタカバー２０を取り付ける方法について説明する。
【００３６】
図３に示すコネクタカバー２０をｘ軸方向に移動すると、図５に示すように、コネクタカバー２０に設けられた第１のガイド部２６Ａと第２のガイド部２６Ｂが、それぞれコネクタ本体１０に設けられた第１の当接面１４Ａおよび第２の当接面１４Ｂに当接する。これにより、ｙ軸方向に位置合わせでき、第１の係止部２２Ａと第２の係止部２２Ｂは、それぞれ第１の被係止部１１Ａと第２の被係止部１１Ｂに案内される。
【００３７】
つぎに、さらにコネクタカバー２０をｘ軸方向に移動すると、図６に示すように、第１の係止部２２Ａおよび第２の係止部２２Ｂが、第１の被係止部１１Ａと第２の被係止部１１Ｂに接触する。第１の係止部２２Ａおよび第２の係止部２２Ｂが、ｘ軸方向に向かって先鋭に形成されているため、第１の係止アーム２３Ａがｙ軸方向に撓み、第１の係止部２２Ａが第１の被係止部１１Ａに押し込まれ、第２の係止アーム２３Ｂが−ｙ軸方向に撓み、第２の係止部２２Ｂが第２の被係止部１１Ｂに押し込まれる。
【００３８】
さらにコネクタカバー２０をｘ軸方向に移動すると、図７に示すように、第１の係止アーム２３Ａおよび第２の係止アーム２３Ｂの撓みが元に戻り、第１の係止爪２５Ａと第２の係止爪２５Ｂとが、それぞれ第１の被係止部１１Ａと第２の被係止部１１Ｂとに引っ掛かり、第１の係止部２２Ａおよび第２の係止部２２Ｂが、第１の被係止部１１Ａと第２の被係止部１１Ｂに係止される。これにより、図８および図９に示すように、コネクタカバー２０がコネクタ本体１０に取り付けられる。
【００３９】
以上、説明したように、本実施の形態の電気コネクタ１００は、第１の係止部２２Ａおよび第２の係止部２２Ｂを覆う第１の壁部２４Ａと第２の壁部２４Ｂを有するコネクタカバー２０を備えることで、破損の原因となりやすいｙ軸方向および−ｙ軸方向からの力が第１の係止部２２Ａおよび第２の係止部２２Ｂに加わることを防ぎ、第１の係止部２２Ａおよび第２の係止部２２Ｂの破損が防止される。第１の係止アーム２３Ａおよび第２の係止アーム２３Ｂは、ｙ軸方向および−ｙ軸方向に撓むため、ｙ軸方向および−ｙ軸方向に外力が加わると破損しやすい。第１の係止部２２Ａおよび第２の係止部２２Ｂが、第１の壁部２４Ａと第２の壁部２４Ｂによりｙ軸方向および−ｙ軸方向から外力が加わることを防ぐことができるため、第１の係止アーム２３Ａおよび第２の係止アーム２３Ｂの破損も防止される。
【００４０】
また、本実施の形態では、コネクタカバー２０が第１のガイド部２６Ａと第２のガイド部２６Ｂを備えることで、コネクタカバー２０がコネクタ本体１０に装着される際に、コネクタ本体１０に対してコネクタカバー２０を容易に位置合わせでき、第１の係止部２２Ａと第２の係止部２２Ｂとをそれぞれ第１の被係止部１１Ａと第２の被係止部１１Ｂとに案内することができる。
【００４１】
また、本実施の形態では、コネクタカバー２０に−ｚ軸方向に開口する開口部２７ａを有する収容室２７が設けられることで、−ｘ軸方向に延出したリード線３０を−ｚ軸方向に曲げることができる。これにより、ｙ軸方向に見て、リード線３０をＬ字状に曲げることができる。
【００４２】
また、本実施の形態では、コネクタカバー２０に押圧部２８が設けられている。これにより、コネクタ本体１０が相手コネクタに押し込まれる際にユーザや押圧機器により押圧部２８を押圧することで、コネクタ本体１０を相手コネクタに容易に押し込むことができる。
【００４３】
（変形例）
上述の実施の形態においては、コネクタカバー２０が、第１〜４の壁部２４Ａ〜２４Ｄを備える例について説明した。コネクタカバー２０は、少なくとも第１の壁部２４Ａと第２の壁部２４Ｂとを備えればよい。このようにすることで、破損の原因となりやすいｙ軸方向および−ｙ軸方向からの力が第１の係止部２２Ａおよび第２の係止部２２Ｂに加わることを防ぎ、第１の係止部２２Ａおよび第２の係止部２２Ｂの破損が防止される。また、図１０および図１１に示すように、コネクタカバー２０は、第１〜４の壁部２４Ａ〜２４Ｄに加えて、−ｚ軸方向に見て第１の係止部２２Ａおよび第２の係止部２２Ｂが露出しないように第１の係止部２２Ａおよび第２の係止部２２Ｂを覆う第５の壁部２４Ｅを備えてもよい。このようにすることで、さらに第１の係止部２２Ａおよび第２の係止部２２Ｂの破損が防止される。
【００４４】
上述の実施の形態においては、コネクタ本体１０にコネクタカバー２０を取り付けることで、−ｘ軸方向に延出したリード線３０を−ｚ軸方向に曲げる例について説明した。コネクタカバー２０は、コネクタ本体１０に取り付けられるものであればよく、端子１３がハウジング１２から抜けないように防止するものであってもよく、コネクタ本体１０にゴミが混入することを防止するものであってもよく、コネクタ本体１０が破損しないようにカバーするものであってもよい。例えば、コネクタカバー２０は、図１２（Ａ）および図１２（Ｂ）に示すように、ハウジング１２から端子１３が抜けないように端子１３を押さえる端子押さえ部２９を備えてもよい。この例では、図１３に示すように、コネクタ本体１０は、収容室１５の内壁に端子係止部１５ｂを備える。端子１３は、突起部１３ａと、固定部１９と、を備える。固定部１９は、端子１３におけるｙ軸上の両端のそれぞれから延出した１対の片持ち梁から構成され、塑性変形してリード線３０の絶縁部３２を固定する。端子１３がハウジング１２の収容室１５に挿入されると、端子係止部１５ｂが突起部１３ａを係止する。さらに、コネクタカバー２０をコネクタ本体１０に取り付けると、端子押さえ部２９が端子１３の固定部１９を押さえる。端子押さえ部２９が端子１３の固定部１９を押さえることにより、端子係止部１５ｂが突起部１３ａを係止するのみの場合より、ハウジング１２から端子１３が抜けることをより防止できる。
【００４５】
上述の実施の形態においては、コネクタカバー２０に押圧部２８が１つ設けられている例について説明したが、押圧部２８は複数設けられてもよい。例えば、コネクタカバー２０は、図１４（Ａ）および図１４（Ｂ）に示すように、リード線３０を挟んで設けられた第１の押圧部２８Ａと第２の押圧部２８Ｂとを備えてもよい。このようにすることで、コネクタ本体１０が相手コネクタに押し込まれる際に押圧機器により第１の押圧部２８Ａと第２の押圧部２８Ｂを押圧することで、コネクタ本体１０を相手コネクタに容易に押し込むことができる。また、リード線３０が−ｘ軸方向に延出する場合であっても、第１の押圧部２８Ａと第２の押圧部２８Ｂとを設けることができる。
【００４６】
上述の実施の形態において、コネクタカバー２０が第１の係止部２２Ａおよび第２の係止部２２Ｂを覆う第１の壁部の２４Ａと、第２の壁部２４Ｂと、を備える例について説明した。コネクタカバー２０は、一対の壁部を有する場合に限定されず、コネクタカバー２０は、図１５（Ａ）に示すように、１つの係止部２２と、係止部２２を覆う壁部２４を備えてもよい。また、コネクタカバー２０は、図１５（Ｂ）に示すように、第１〜３の係止部２２Ｆ〜２２Ｈと、第１〜３の係止部２２Ｆ〜２２Ｈを覆う第１〜３の壁部２４Ｆ〜２４Ｈを備えてもよい。この場合、第１〜３の係止部２２Ｆ〜２２Ｈは、第１〜３の壁部２４Ｆ〜２４Ｈに囲まれた位置に配置されている。これにより第１〜３の係止部２２Ｆ〜２２Ｈの破損が防止される。
【００４７】
上述の実施の形態において、端子１３が、筒状のサヤ部１６を備える例について説明したが、端子１３は、オス端子であってもよく、Ｙラグ端子、Ｏラグ端子などの端子であってもよい。
【００４８】
上述の実施の形態において、コネクタ本体１０が、３つの端子１３と、３つの収容室１５を有するハウジング１２と、を備える例について説明したが、コネクタ本体１０が有する端子１３の数と収容室１５の数は、限定されず、コネクタ本体１０は、１または２つの端子１３と、１または２つの収容室１５を有するハウジング１２と、を備えてもよく、４以上の端子１３と、４以上の収容室１５を有するハウジング１２と、を備えてもよい。
【００４９】
この発明は、この発明の広義の精神と範囲を逸脱することなく、様々な実施の形態及び変形が可能とされるものである。また、上述した実施の形態は、この発明を説明するためのものであり、この発明の範囲を限定するものではない。すなわち、この発明の範囲は、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【００５０】
本発明は、電気回路の部品として用いられる電気コネクタおよびコネクタカバーに適用することができる。
【符号の説明】
【００５１】
１０…コネクタ本体、１１Ａ…第１の被係止部、１１Ｂ…第２の被係止部、１２…ハウジング、１３…端子、１３ａ…突起部、１４Ａ…第１の当接面、１４Ｂ…第２の当接面、１５…収容室、１５ａ…挿入孔、１５ｂ…端子係止部、１６…サヤ部、１７…結束部、１８…弾性接触部、１９…固定部、２０…コネクタカバー、２１…カバー本体、２２…係止部、２２Ａ、２２Ｆ…第１の係止部、２２Ｂ、２２Ｇ…第２の係止部、２２Ｈ…第３の係止部、２３Ａ…第１の係止アーム、２３Ｂ…第２の係止アーム、２４…壁部、２４Ａ、２４Ｆ…第１の壁部、２４Ｂ、２４Ｇ…第２の壁部、２４Ｃ、２４Ｈ…第３の壁部、２４Ｄ…第４の壁部、２４Ｅ…第５の壁部、２５Ａ…第１の係止爪、２５Ｂ…第２の係止爪、２６Ａ…第１のガイド部、２６Ｂ…第２のガイド部、２７…収容室、２７ａ…開口部、２８…押圧部、２８Ａ…第１の押圧部、２８Ｂ…第２の押圧部、２９…端子押さえ部、３０…リード線、３１…導体部、３２…絶縁部、１００、２００、３００…電気コネクタ、Ｌ１、Ｌ２…長さ
【図１】
2020202066.tif 000003
【図２】
2020202066.tif 000004
【図３】
2020202066.tif 000005
【図４】
2020202066.tif 000006
【図５】
2020202066.tif 000007
【図６】
2020202066.tif 000008
【図７】
2020202066.tif 000009
【図８】
2020202066.tif 000010
【図９】
2020202066.tif 000011
【図１０】
2020202066.tif 000012
【図１１】
2020202066.tif 000013
【図１２】
2020202066.tif 000014
【図１３】
2020202066.tif 000015
【図１４】
2020202066.tif 000016
【図１５】
2020202066.tif 000017